(57)【要約】【課題】破袋機で破袋された袋体内の廃棄物を手分別コンベヤに搬送し、予め定めた種類別に手分別し、予め定めた廃棄物の種類に応じた処理をなす複数の廃棄物処理ラインに送ることになり、破袋機で破袋された袋体内の廃棄物を手分別コンベヤ上に搬送しつつ予め定めた種類別に手分別する構造であるから、設備コストの低減を図ることができると共にライン稼働率の向上を図ることができる。【解決手段】回収された廃棄物袋等の袋体を破袋する破袋機１と、破袋機で破袋された袋体内の廃棄物を予め定めた種類別に手分別するための手分別コンベヤ２と、種類別に手分別された廃棄物を受け入れて予め定めた廃棄物の種類に応じた処理をなす複数の廃棄物処理ライン３とからなる。【選択図】図１
2006075803.tif 000002
【特許請求の範囲】
【請求項１】
回収された廃棄物袋等の袋体を破袋する破袋機と、該破袋機で破袋された袋体内の廃棄物を予め定めた種類別に手分別するための手分別コンベヤと、該種類別に手分別された廃棄物を受け入れて予め定めた廃棄物の種類に応じた処理をなす複数の廃棄物処理ラインとからなることを特徴とする廃棄物処理設備。
【請求項２】
上記手分別すべき廃棄物の種類は、破砕不適物、発泡スチロール系廃棄物、ペットボトル系廃棄物及び廃プラスチック系廃棄物に定められていることを特徴とする請求項１記載の廃棄物処理設備。
【請求項３】
上記発泡スチロール系廃棄物を処理する発泡スチロール系廃棄物処理ラインに、少なくとも発泡スチロール破砕機及び発泡スチロール減容機を備えてなることを特徴とする請求項２記載の廃棄物処理設備。
【請求項４】
上記ペットボトル系廃棄物を処理するペットボトル系廃棄物処理ラインに、少なくともラベル・キャップ切断機、ペットボトル粉砕機及びペットボトル洗浄機を備えてなることを特徴とする請求項２記載の廃棄物処理設備。
【請求項５】
上記廃プラスチック系廃棄物を処理する廃プラスチック系廃棄物処理ラインに、少なくとも廃プラスチック破砕機及び廃プラスチック減容成型機を備えてなることを特徴とする請求項２記載の廃棄物処理設備。
【発明の詳細な説明】
【技術分野】
【０００１】
本発明は例えば都市ごみや産業廃棄物等の再利用資源化等の廃棄物処理に用いられる廃棄物処理設備に関するものである。
【背景技術】
【０００２】
従来、この種の廃棄物処理設備として、発泡スチロール系廃棄物、ペットボトル系廃棄物及び廃プラスチック系廃棄物等の設備が知られている。
【特許文献１】特開平８−１０７４３号公報
【発明の開示】
【発明が解決しようとする課題】
【０００３】
しかしながら上記従来構造の場合、例えば、都市ゴミの回収地域によっては、各種類の都市ゴミの回収量がそれほど多くないことがあり、このような地域にあっては、各々、各種類の廃棄物を当該種類に応じた処理経路で処理する単独の廃棄物処理ラインを構築した場合、毎日稼働するだけの量を確保することができず、ライン稼働率が低下し、設備が有効に活用されず、無駄な設備投資になることがあるという不都合を有している。
【課題を解決するための手段】
【０００４】
本発明はこれらの不都合を解決することを目的とするもので、本発明のうちで、請求項１記載の発明は、回収された廃棄物袋等の袋体を破袋する破袋機と、該破袋機で破袋された袋体内の廃棄物を予め定めた種類別に手分別するための手分別コンベヤと、該種類別に手分別された廃棄物を受け入れて予め定めた廃棄物の種類に応じた処理をなす複数の廃棄物処理ラインとからなることを特徴とする廃棄物処理設備にある。
【０００５】
又、請求項２記載の発明は、上記手分別すべき廃棄物の種類は、破砕不適物、発泡スチロール系廃棄物、ペットボトル系廃棄物及び廃プラスチック系廃棄物に定められていることを特徴とするものであり、又、請求項３記載の発明は、上記発泡スチロール系廃棄物を処理する発泡スチロール系廃棄物処理ラインに、少なくとも発泡スチロール破砕機及び発泡スチロール減容機を備えてなることを特徴とするものであり、又、請求項４記載の発明は、上記ペットボトル系廃棄物を処理するペットボトル系廃棄物処理ラインに、少なくともラベル・キャップ切断機、ペットボトル粉砕機及びペットボトル洗浄機を備えてなることを特徴とするものであり、又、請求項５記載の発明にあっては、上記廃プラスチック系廃棄物を処理する廃プラスチック系廃棄物処理ラインに、少なくとも廃プラスチック破砕機及び廃プラスチック減容成型機を備えてなることを特徴とするものである。
【発明の効果】
【０００６】
本発明は上述の如く、請求項１記載の発明にあっては、回収された廃棄物袋等の袋体は破袋機により破袋され、破袋機で破袋された袋体内の廃棄物を手分別コンベヤに搬送し、手分別コンベヤ上を搬送される途中において、予め定めた種類別に手分別し、この種類別に手分別された廃棄物を予め定めた廃棄物の種類に応じた処理をなす複数の廃棄物処理ラインに送ることになり、破袋機で破袋された袋体内の廃棄物を手分別コンベヤ上に搬送しつつ予め定めた種類別に手分別する構造であるから、各種類の廃棄物を当該種類に応じた処理経路で処理する単独の廃棄物処理ラインを構築した場合に比べ、設備コストの低減を図ることができると共にライン稼働率の向上を図ることができる。
【０００７】
又、請求項２記載の発明にあっては、上記手分別すべき廃棄物の種類は、破砕不適物、発泡スチロール系廃棄物、ペットボトル系廃棄物及び廃プラスチック系廃棄物に定められているから、各種の廃棄物の再利用資源化処理を効率的に行うことができ、又、請求項３記載の発明にあっては、上記発泡スチロール系廃棄物を処理する発泡スチロール系廃棄物処理ラインに、少なくとも発泡スチロール破砕機及び発泡スチロール減容機を備えてなるから、発泡スチロール系廃棄物の破砕減容により再利用資源化処理を容易に行うことができ、又、請求項４記載の発明にあっては、上記ペットボトル系廃棄物を処理するペットボトル系廃棄物処理ラインに、少なくともラベル・キャップ切断機、ペットボトル粉砕機及びペットボトル洗浄機を備えてなるから、ペットボトル系廃棄物の切断、破砕及び洗浄により再利用資源化処理を容易に行うことができ、又、請求項５記載の発明にあっては、上記廃プラスチック系廃棄物を処理する廃プラスチック系廃棄物処理ラインに、少なくとも、廃プラスチック破砕機及び廃プラスチック減容成型機を備えてなるから、廃プラスチック系廃棄物の破砕及び減容成型により再利用資源化処理を容易に行うことができる。
【発明を実施するための最良の形態】
【０００８】
図１乃至図５は本発明の実施の形態例を示し、１は破袋機であって、カッター式等破袋機１が用いられ、例えば、各市町村等が収集し、回収された都市ごみ等の廃棄物袋等の袋体Ｗを破袋する構造となっている。
【０００９】
２は手分別コンベヤであって、上記破袋機１で破袋された袋体Ｗ内の廃棄物を受け入れ、搬送途中において、予め定めた種類別に手分別するためのコンベヤであり、この場合、破砕不適物Ａ、発泡スチロール系廃棄物Ｂ、ペットボトル系廃棄物Ｃ及び廃プラスチック系廃棄物Ｄに分別するように定められ、破砕不適物Ａ、発泡スチロール系廃棄物Ｂ、ペットボトル系廃棄物Ｃについては、作業者により手分別コンベヤ２から分別して取り出され、廃プラスチック系廃棄物Ｄについては、そのまま手分別コンベヤ２により搬送される構造となっている。
【００１０】
３は廃棄物処理ラインであって、この場合、例えば、鍋、やかん、鉄塊等の金属類やガラス瓶、缶等の破砕不適物Ａを処理する不適物処理ラインＥ、発泡スチロール系廃棄物Ｂを処理する発泡スチロール系廃棄物処理ラインＦ、ペットボトル系廃棄物Ｃを処理するペットボトル系廃棄物処理ラインＧ及び廃プラスチック系廃棄物Ｄを処理する廃プラスチック系廃棄物処理ラインＨの四つの廃棄物処理ラインから構成されている。
【００１１】
この場合、上記不適物処理ラインＥは、図２の如く、上記破砕不適物Ａを埋め立て処理や破砕不適物処理業者に委託Ａ1する処理経路に構成されている。
【００１２】
又、この場合、発泡スチロール系廃棄物処理ラインＦは、図３の如く、発泡スチロール破砕機Ｆ1により発泡スチロール系廃棄物Ｂを破砕処理し、破砕後にブロワーＦ2等により搬送され、その後、例えば、加熱式、溶剤式等の発泡スチロール減容機Ｆ3により減容し、発泡スチロール減容機Ｆ3には活性炭式、オゾン式等の脱臭機Ｆ4が接続され、減容後に処理袋Ｆ5に詰入し、再利用資源として回収処理する処理経路に構成されている。
【００１３】
又、この場合、ペットボトル系廃棄物処理ラインＧは、図４の如く、例えば、回転刃式、カッター式等のラベル・キャップ切断機Ｇ1によりペットボトル系廃棄物Ｃのラベル及びキャップを切断し、例えば、振動式の篩い機Ｇ2によりラベル及びキャップを篩い落として分別し、残存するペットボトルを例えば、乾式、湿式等のペットボトル粉砕機Ｇ3により粉砕し、粉砕後に、スクリュウ式、トロンメル式等のペットボトル洗浄機Ｇ4により洗浄し、この場合、洗浄水供給機Ｇ5から洗浄水が供給されて洗浄され、洗浄水供給機Ｇ5にはフィルター濾過式、砂濾過式等の洗浄水再使用機Ｇ6が接続され、必要に応じ、水に代えて、温水ボイラーから温水が供給され、洗浄後に、処理袋Ｇ7に詰入し、再利用資源として回収する処理経路に構成されている。
【００１４】
又、この場合、廃プラスチック系廃棄物処理ラインＨは、図５の如く、手選別コンベヤ２に残留して送られてくる廃プラスチック系廃棄物Ｄを廃プラスチック破砕機Ｈ1により破砕し、廃プラスチック破砕機Ｈ1にはサイクロン式、フィルター式等の集塵機Ｈ2が接続され、この破砕後に搬送コンベヤＨ3上を搬送しつつ例えば永久磁石式、電磁石式等の磁力選別機Ｈ4により金属類を除去処理し、搬入パイプコンベヤＨ5等により定量供給機Ｈ6に搬送し、金属類除去処理後の廃プラスチック系廃棄物Ｄを定量供給機Ｈ6により廃プラスチック減容成型機Ｈ8に搬出パイプコンベヤＨ7を介して搬送し、廃プラスチック減容成型機Ｈ8により減容成型し、廃プラスチック減容成型機Ｈ8には脱臭機Ｈ9が接続され、減容成型後、搬送コンテナＨ10に収納し、再利用資源として回収処理する処理経路に構成されている。
【００１５】
この実施の形態例は上記構成であるから、回収された廃棄物袋等の袋体Ｗは破袋機１により破袋され、破袋機１で破袋された袋体Ｗ内の廃棄物を手分別コンベヤ２に搬送し、手分別コンベヤ２上を搬送される途中において、予め定めた種類別に手分別し、この種類別に手分別された廃棄物を予め定めた廃棄物の種類に応じた処理をなす複数の廃棄物処理ライン３に送ることになり、破袋機１で破袋された袋体Ｗ内の廃棄物を手分別コンベヤ２上に搬送しつつ予め定めた種類別に手分別する構造であるから、各種類の廃棄物を当該種類に応じた処理経路で処理する単独の廃棄物処理ラインを構築した場合に比べ、設備コストの低減を図ることができると共にライン稼働率の向上を図ることができる。
【００１６】
又、この場合、上記手分別すべき廃棄物の種類は、破砕不適物Ａ、発泡スチロール系廃棄物Ｂ、ペットボトル系廃棄物Ｃ及び廃プラスチック系廃棄物Ｄに定められているから、各種の廃棄物の再利用資源化処理を効率的に行うことができ、又、この場合、上記発泡スチロール系廃棄物Ｂを処理する発泡スチロール系廃棄物処理ラインＦに、少なくとも発泡スチロール破砕機Ｆ1及び発泡スチロール減容機Ｆ3を備えてなるから、発泡スチロール系廃棄物Ｂの破砕減容により再利用資源化処理を容易に行うことができ、又、この場合、上記ペットボトル系廃棄物Ｃを処理するペットボトル系廃棄物処理ラインＧに、少なくともラベル・キャップ切断機Ｇ1、ペットボトル粉砕機Ｇ3及びペットボトル洗浄機Ｇ4を備えてなるから、ペットボトル系廃棄物Ｃの切断、破砕及び洗浄により再利用資源化処理を容易に行うことができ、又、この場合、上記廃プラスチック系廃棄物Ｄを処理する廃プラスチック系廃棄物処理ラインＨに、少なくとも、廃プラスチック破砕機Ｈ1及び廃プラスチック減容成型機Ｈ8を備えてなるから、廃プラスチック系廃棄物Ｄの破砕及び減容成型により再利用資源化処理を容易に行うことができる。
【００１７】
尚、本発明は上記実施の形態例に限られるものではなく、破袋機１の構造や手分別コンベヤ２の構造、廃棄物処理ライン３の数や構造等は廃棄物の種類や分別数等に応じて適宜変更して設計されるものである。
【００１８】
以上、所期の目的を充分達成することができる。
【図面の簡単な説明】
【００１９】
【図１】本発明の実施の形態例の全体構成系統図である。
【図２】本発明の実施の形態例の部分構成系統図である。
【図３】本発明の実施の形態例の部分構成系統図である。
【図４】本発明の実施の形態例の部分構成系統図である。
【図５】本発明の実施の形態例の部分構成系統図である。
【符号の説明】
【００２０】
Ａ    破砕不適物
Ｂ    発泡スチロール系廃棄物
Ｃ    ペットボトル系廃棄物
Ｄ    廃プラスチック系廃棄物
Ｅ    不適物処理ライン
Ｆ    発泡スチロール系処理ライン
Ｇ    ペットボトル系処理ライン
Ｇ1    ラベル・キャップ切断機
Ｇ3    ペットボトル粉砕機
Ｇ4    ペットボトル洗浄機
Ｈ    廃プラスチック系廃棄物処理ライン
Ｈ1    廃プラスチック破砕機
Ｈ8    廃プラスチック減容成型機
１    破袋機
２    手分別コンベヤ
３    廃棄物処理ライン
【図１】
2006075803.tif 000003
【図２】
2006075803.tif 000004
【図３】
2006075803.tif 000005
【図４】
2006075803.tif 000006
【図５】
2006075803.tif 000007